(57)【要約】【課題】設備が大がかりにならず、エネルギの供給が不要で、設備コスト及び保守コストを低減できるとともに、鉄塔を構成する支部材にカバー部材を簡易かつ安全に短時間で取り付けることができる鉄塔支部材の落雪防止装置を提供すること。【解決手段】鉄塔を構成する支部材Ｓを囲繞して覆うカバー部材１を設けるようにし、カバー部材１に目合い寸法３０〜６０ｍｍの合成樹脂製の筒状のネット部材を用い、このカバー部材１をカバー部材に形成した筒軸方向の切れ目１１に支部材Ｓを通すことによって支部材Ｓに装着するとともに、支部材Ｓに外接する筒状を形成するように切れ目１１を結束部材２により閉鎖する。【選択図】図１
2007309007.tif 000002
【特許請求の範囲】
【請求項１】
鉄塔を構成する支部材を囲繞して覆うカバー部材を設けるようにした鉄塔支部材の落雪防止装置において、カバー部材に目合い寸法３０〜６０ｍｍの合成樹脂製の筒状のネット部材を用い、該カバー部材をカバー部材に形成した筒軸方向の切れ目に支部材を通すことによって支部材に装着するとともに、支部材に外接する筒状を形成するように前記切れ目を結束部材により閉鎖したことを特徴とする鉄塔支部材の落雪防止装置。
【請求項２】
鉄塔を構成する支部材を囲繞して覆うカバー部材を設けるようにした鉄塔支部材の落雪防止装置に用いるカバー部材の配設方法において、カバー部材に目合い寸法３０〜６０ｍｍの合成樹脂製の筒状のネット部材を用い、該カバー部材をカバー部材に形成した筒軸方向の切れ目に支部材を通すことによって支部材に装着するとともに、支部材に外接する筒状を形成するように前記切れ目を結束部材により閉鎖した後、支部材に装着したカバー部材を該支部材の長手方向に沿って順次送り出すことを特徴とする鉄塔支部材の落雪防止装置に用いるカバー部材の配設方法。
【発明の詳細な説明】
【技術分野】
【０００１】
本発明は、鉄塔に降着した雪が雪塊や氷塊となって落下することによる落雪被害を防止する鉄塔支部材の落雪防止装置及びそれに用いるカバー部材の配設方法に関し、特に、鉄塔を構成する支部材を囲繞して覆うカバー部材によって雪を捕捉して雪が雪塊や氷塊となって落下することによる落雪被害を防止するようにした鉄塔支部材の落雪防止装置及びそれに用いるカバー部材の配設方法に関するものである。
【背景技術】
【０００２】
鉄塔に降雪があると、鉄塔を構成する各構成部材に着雪する。
鉄塔を構成する構成部材は、主に、山型鋼、鋼管を用いて形成され、その使用部位により、鉄塔の主柱となる主柱材、アングルを形成する斜材、水平に設けられる水平材、突出して設けられる腕金部等に分けられる（本明細書において、主柱材以外の構成部材を「支部材」という。）が、着雪はすべての構成部材に発生する。
着雪は集積されて次第に成長し、やがて自重、風圧等により崩壊して雪塊となり地上へ落下したり、さらに、寒暖が繰り返されることにより、着雪が氷塊となって地上へ落下し、鉄塔下の通行人、構造物、農作物等に当たって被害をもたらすことがあった。
【０００３】
このような鉄塔に降着した雪が雪塊や氷塊となって落下することによる落雪被害を防止するために、従来より、鉄塔の下方の周囲に防護ネットを張り巡らせ、この防護ネットによって鉄塔からの落雪を受け止めるようにしたり、鉄塔を構成する構成部材に融雪ヒータを敷設し、融雪ヒータによって着雪の成長を防止したり、鉄塔を構成する構成部材に難着雪性塗料を塗布し、着雪を防止する等、種々の対策が提案されている。
しかしながら、これらの対策は、防護ネットを用いる場合には、設備が大がかりなって設備コストが増大するとともに、景観を損ねることになり、融雪ヒータを用いる場合には、電気エネルギ等の熱量を大量に消費することになり、難着雪性塗料を用いる場合には、塗料の塗り替えを頻繁に行う必要があり、保守コストが増大する等、いずれも問題を抱えており、より効果的な対策が要請されていた。
【０００４】
一方、設備が大がかりにならず、エネルギの供給が不要で、設備コスト及び保守コストを低減できるものとして、鉄塔を構成する鉄塔構成部材を囲繞して覆うカバー部材を設けるとともに、このカバー部材と支部材との間に所定の間隙を形成するためのスペーサ部材を設けるようにした鉄塔の落雪防止装置が提案されている（特許文献１参照）。
この鉄塔の落雪防止装置は、上記の利点を有するものであるが、鉄塔を構成する支部材の場合には、作業者の足場の状況が悪く、カバー部材を簡易かつ安全に取り付けにくいという問題に加え、カバー部材の取付に時間を要し、作業の安全のための送電停止時間が長くなって送電効率が低下するという問題があった。
【特許文献１】特開平６−８１５１７号公報
【発明の開示】
【発明が解決しようとする課題】
【０００５】
本発明は、上記従来の落雪防止装置の有する問題点に鑑み、設備が大がかりにならず、エネルギの供給が不要で、設備コスト及び保守コストを低減できるとともに、鉄塔を構成する支部材にカバー部材を簡易かつ安全に短時間で取り付けることができる鉄塔支部材の落雪防止装置及びそれに用いるカバー部材の配設方法を提供することを目的とする。
【課題を解決するための手段】
【０００６】
上記目的を達成するため、本発明の鉄塔支部材の落雪防止装置は、鉄塔を構成する支部材を囲繞して覆うカバー部材を設けるようにした鉄塔支部材の落雪防止装置において、カバー部材に目合い寸法３０〜６０ｍｍの合成樹脂製の筒状のネット部材を用い、該カバー部材をカバー部材に形成した筒軸方向の切れ目に支部材を通すことによって支部材に装着するとともに、支部材に外接する筒状を形成するように前記切れ目を結束部材により閉鎖したことを特徴とする。
【０００７】
また、本発明の鉄塔支部材の落雪防止装置に用いるカバー部材の配設方法は、鉄塔を構成する支部材を囲繞して覆うカバー部材を設けるようにした鉄塔支部材の落雪防止装置に用いるカバー部材の配設方法において、カバー部材に目合い寸法３０〜６０ｍｍの合成樹脂製の筒状のネット部材を用い、該カバー部材をカバー部材に形成した筒軸方向の切れ目に支部材を通すことによって支部材に装着するとともに、支部材に外接する筒状を形成するように前記切れ目を結束部材により閉鎖した後、支部材に装着したカバー部材を該支部材の長手方向に沿って順次送り出すことを特徴とする。
【発明の効果】
【０００８】
本発明の鉄塔支部材の落雪防止装置によれば、鉄塔を構成する支部材を囲繞して覆うカバー部材を設けるようにすることにより、設備が大がかりにならず、エネルギの供給が不要で、設備コスト及び保守コストを低減でき、さらに、カバー部材に目合い寸法３０〜６０ｍｍの合成樹脂製の筒状のネット部材を用い、該カバー部材をカバー部材に形成した筒軸方向の切れ目に支部材を通すことによって支部材に装着するとともに、支部材に外接する筒状を形成するように前記切れ目を結束部材により閉鎖することにより、鉄塔を構成する支部材にカバー部材を簡易かつ安全に短時間で取り付けることができ、カバー部材と支部材との間に形成された間隙に雪を安定して保持することができる。
そして、カバー部材と支部材との間に形成された間隙に保持された雪は、溶けるまでそのまま保持され、また、万一落下しても、カバー部材によって分割されて大きな塊のままで落下することがないため、雪塊や氷塊となって落下することによる落雪被害を確実に防止することができる。
さらに、カバー部材の取付を短時間で行うことができることから、作業の安全のための送電停止時間を短縮し、送電効率を向上することができる。
【０００９】
また、本発明の鉄塔支部材の落雪防止装置に用いるカバー部材の配設方法によれば、支部材に装着したカバー部材を該支部材の長手方向に沿って順次送り出すことにより、作業者の足場の状況が極めて悪かったり、足場のない支部材の先端側にも、カバー部材を簡易かつ安全に短時間で取り付けることができる。
【発明を実施するための最良の形態】
【００１０】
以下、本発明の鉄塔支部材の落雪防止装置の実施の形態を、図面に基づいて説明する。
【実施例１】
【００１１】
図１に、本発明の鉄塔支部材の落雪防止装置及びそれに用いるカバー部材の配設方法の一実施例を示す。
この鉄塔支部材の落雪防止装置は、鉄塔を構成する斜材、水平材、腕金部等の支部材Ｓを囲繞して覆うカバー部材１を設けるようにしたもので、カバー部材１に目合い寸法３０〜６０ｍｍの合成樹脂製の筒状のネット部材を用い、このカバー部材１をカバー部材に形成した筒軸方向の切れ目１１に支部材Ｓを通すことによって支部材Ｓに装着するとともに、支部材Ｓに外接する筒状を形成するように切れ目１１を結束部材２により閉鎖するようにしている。
【００１２】
この場合において、カバー部材１に用いる合成樹脂製の筒状のネット部材には、目合い寸法３０〜６０ｍｍ、より好ましくは、４０〜５０ｍｍのものを用いるようにする。
目合い寸法が、３０ｍｍより小さいと、雪によって網目が閉塞され、カバー部材１と支部材Ｓとの間に形成された間隙に雪を安定して保持することができなくなりやすく、一方、６０ｍｍより大きいと、大きな塊のままで雪塊や氷塊が落下し、落雪被害を確実に防止することができないものとなる。
なお、このネット部材の断面形状は、鉄塔を構成する支部材Ｓに外接する筒状を形成するものであれば特に限定されず、円形（支部材Ｓが山型鋼の場合）、矩形（支部材Ｓが鋼管の場合）、多角形等、任意の形状のものを用いることができる。
【００１３】
そして、カバー部材１に用いるシート状のネット部材は、特に限定されるものではないが、例えば、周上に縦糸を連続押し出ししながら横糸を溶融着することで筒状のネット部材を連続的に製造し（特開昭６０−７８７１６号公報参照。タキロン社製「トリカルパイプ」（商品名））、その後、筒状のネット部材に筒軸方向の切れ目１１を形成することにより得ることができる。
また、ネット部材を構成する合成樹脂には、特に限定されるものではないが、好ましくは、紫外線劣化防止剤を配合した高密度ポリエチレン樹脂を用いることができ、これにより、カバー部材１の耐久性を一層向上することができる。
また、この合成樹脂には、比較的硬質の材料を用いることが好ましく、これにより、カバー部材１を取り付ける際の作業性及び支部材Ｓに装着した後の保形性を向上することができ、さらに、鉄塔を構成する支部材Ｓに外接する筒状を形成することと相俟って、足場としての安定性が増し、作業者の安全性を確保できる。
【００１４】
そして、このようにして得たネット部材は、縦糸に横糸が溶融着した一体角目構造であることと相俟って、特に、低温下における繰り返し応力に対する耐久性に優れ、鉄塔に装着された劣悪な環境下での長期間（１０年程度）の使用に十分耐えることができる。
【００１５】
また、このネット部材は、筒軸方向に形成した切れ目１１を、針金や汎用の合成樹脂製の結束部材等の任意の結束部材２により閉鎖した状態で支部材Ｓに外接する筒状を形成することから、これをカバー部材１に用いることにより、鉄塔を構成する支部材Ｓにカバー部材１を装着する際にカバー部材１が支部材Ｓに自然に巻き付くようになり、カバー部材１を取り付ける際の作業性及び支部材Ｓに装着した後の保形性を向上することができる。
【００１６】
そして、この鉄塔支部材の落雪防止装置を構築するに当たっては、図１（ａ）、（ｂ）及び（ｄ）に示すように、カバー部材１を、カバー部材１に形成した筒軸方向の切れ目１１に鉄塔を構成する支部材Ｓを通すことによって支部材Ｓに装着するとともに、支部材Ｓに外接する筒状を形成するように切れ目１１を結束部材２により閉鎖することにより、カバー部材１を支部材Ｓに取り付けることができる。
【００１７】
さらに、作業者の足場の状況が極めて悪かったり、足場のない支部材Ｓの先端側にカバー部材１を取り付ける場合には、図１（ｂ）及び（ｃ）に示すように、支部材Ｓに装着したカバー部材１を支部材Ｓの長手方向に沿って順次送り出すことにより、カバー部材１を支部材Ｓの先端側にまでに取り付けることができる。
この場合、必要に応じて、鉄塔を構成する支部材Ｓに取り付けた隣接するカバー部材１同士を針金や汎用の合成樹脂製の結束部材等の任意の結束部材により接合することができる。
これにより、作業者の足場の状況が極めて悪かったり、足場のない支部材Ｓの先端側にも、カバー部材１を簡易かつ安全に短時間で取り付けることができる。
【００１８】
この鉄塔支部材の落雪防止装置は、鉄塔を構成する支部材Ｓを囲繞して覆うカバー部材１を設けるようにしているので、設備が大がかりにならず、エネルギの供給が不要で、設備コスト及び保守コストを低減でき、さらに、カバー部材１に目合い寸法３０〜６０ｍｍの合成樹脂製の筒状のネット部材を用い、このカバー部材１をカバー部材１に形成した筒軸方向の切れ目１１に支部材Ｓを通すことによって支部材Ｓに装着するとともに、支部材Ｓに外接する筒状を形成するように切れ目１１を結束部材２により閉鎖するようにしているので、鉄塔を構成する支部材Ｓにカバー部材１を簡易かつ安全に短時間で取り付けることができ、カバー部材１と支部材Ｓとの間に形成された間隙に雪を安定して保持することができる。
そして、カバー部材１と支部材Ｓとの間に形成された間隙に保持された雪は、溶けるまでそのまま保持され、また、万一落下しても、カバー部材１によって分割されて大きな塊のままで落下することがないため、雪塊や氷塊となって落下することによる落雪被害を確実に防止することができる。
さらに、鉄塔を構成する支部材Ｓに対するカバー部材１の取付を短時間で行うことができることから、作業の安全のための送電停止時間を短縮し、送電効率を向上することができる。
【００１９】
また、この鉄塔支部材の落雪防止装置に用いるカバー部材の配設方法によれば、支部材Ｓに装着したカバー部材１を支部材Ｓの長手方向に沿って順次送り出すようにしているので、作業者の足場の状況が極めて悪かったり、足場のない支部材Ｓの先端側にも、カバー部材１を簡易かつ安全に短時間で取り付けることができる。
【００２０】
以上、本発明の鉄塔支部材の落雪防止装置及びそれに用いるカバー部材の配設方法について、実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明の鉄塔支部材の落雪防止装置及びそれに用いるカバー部材の配設方法は、設備が大がかりにならず、エネルギの供給が不要で、設備コスト及び保守コストを低減できるとともに、鉄塔を構成する支部材にカバー部材を簡易かつ安全に短時間で取り付けることができることから、送電線用等の各種鉄塔の支部材の落雪防止の用途に好適に用いることができる。
【図面の簡単な説明】
【００２２】
【図１】（ａ）〜（ｃ）は、本発明の鉄塔支部材の落雪防止装置に用いるカバー部材の配設工程の一例を示す説明図、（ｄ）は、本発明の鉄塔支部材の落雪防止装置の一例を示す断面図である。
【符号の説明】
【００２３】
１    カバー部材
１１  軸方向の切れ目
２    結束部材
Ｓ    支部材
【図１】
2007309007.tif 000003